(57)【要約】【課題】多層の実装基板におけるエラーや複数のネットのショートに起因するエラーが発生した場合に、部品番号および同電位ネット名の探索を迅速に行うことが可能な実装基板不良解析支援装置を提供する。【解決手段】実装基板のＣＡＤ情報である基板ＣＡＤ情報と実装検査装置から出力される実装基板エラー情報とにより実装基板の不良部位の解析を支援する実装基板不良解析支援装置において、基板ＣＡＤ情報および実装基板エラー情報に対応する実装基板の不良部位をディスプレイ上に表示する基板ＣＡＤ情報表示部と、実装不良の発生しやすい条件である不良発生条件を発生しやすい順に優先順位をつけて管理する実装不良発生条件管理部と、実装基板エラー情報を入力するエラー情報管理部と、実装基板エラー情報に対応する実装基板の不良部位候補を基板ＣＡＤ情報表示部に強調表示する基板ＣＡＤ情報表示制御部とを備え、実装不良発生条件管理部において管理される不良発生条件の優先順位に従い、実装基板の不良部位候補を基板ＣＡＤ情報表示部に強調表示する。【選択図】      図１
2004192272.tif 000002
【特許請求の範囲】
【請求項１】
実装基板のＣＡＤ情報である基板ＣＡＤ情報と実装検査装置から出力される実装基板エラー情報とにより実装基板の不良部位の解析を支援する実装基板不良解析支援装置において、
基板ＣＡＤ情報および実装基板エラー情報に対応する実装基板の不良部位をディスプレイ上に表示する基板ＣＡＤ情報表示部と、
実装不良の発生しやすい条件である不良発生条件を発生しやすい順に優先順位をつけて管理する実装不良発生条件管理部と、
実装基板エラー情報を入力するエラー情報管理部と、
実装基板エラー情報に対応する実装基板の不良部位候補を基板ＣＡＤ情報表示部に強調表示する基板ＣＡＤ情報表示制御部と、
を備え、
実装不良発生条件管理部において管理される不良発生条件の優先順位に従い、実装基板の不良部位候補を基板ＣＡＤ情報表示部に強調表示することを特徴とする実装基板不良解析支援装置。
【請求項２】
基板ＣＡＤ情報表示部に強調表示された不良部位候補に不良が発見された場合に、この不良部位候補の強調表示に関する優先順位が繰り上がるように入れ替えを行い、入れ替えられた優先順位を実装不良発生条件管理部に登録する表示優先順位学習部を備えることを特徴とする請求項１記載の実装基板不良解析支援装置。
【請求項３】
実装設計段階で実行される実装設計ルールチェックの結果を入力する実装設計ルールチェック結果入力部を備え、実装設計ルールチェックにおいて不良部位あるいは不良に近い状態にあると判断された実装基板上の部位を、基板ＣＡＤ情報表示部に不良部位候補として優先して強調表示することを特徴とする請求項１記載の実装基板不良解析支援装置。
【請求項４】
基板ＣＡＤ情報表示部に優先して強調された不良部位候補に不良が発見された場合に、実装設計ルールチェックにおけるルールに反映される不良発生情報を出力する不良発生情報出力部を備えることを特徴とする請求項３記載の実装基板不良解析支援装置。
【請求項５】
実装基板を観察する顕微鏡と、実装基板を搭載するＸＹテーブルと、基板ＣＡＤ情報表示部のディスプレイ上に表示された実装基板上の部位と連動してＸＹテーブルが駆動するようにしたＸＹテーブル駆動制御部とを備えることを特徴とする請求項１乃至４のいずれかの実装基板不良解析支援装置。
【請求項６】
実装基板のＣＡＤ情報である基板ＣＡＤ情報と実装検査装置から出力される実装基板エラー情報とにより実装基板の不良部位を解析することを支援する実装基板不良解析支援装置において、
基板ＣＡＤ情報に含まれる配置属性情報、配線属性情報、部品属性情報、および、レイヤ属性情報と実装基板エラー情報に対応する実装基板の不良部位とをディスプレイ上に表示する基板ＣＡＤ情報表示部と、
実装不良の発生しやすい条件である不良発生条件を発生しやすい順に優先順位をつけて管理する実装不良発生条件管理部と、
実装基板エラー情報を入力するエラー情報管理部と、
実装基板エラー情報に対応する実装基板の不良部位候補を基板ＣＡＤ情報に含まれる配置属性情報、配線属性情報、部品属性情報、および、レイヤ属性情報に基づき基板ＣＡＤ情報表示部に強調表示する基板ＣＡＤ情報表示制御部と、
を備え、
実装不良発生条件管理部において管理される不良発生条件の優先順位に従い、実装基板の不良部位候補を基板ＣＡＤ情報表示部に強調表示することを特徴とすることを特徴とする実装基板不良解析支援装置。
【請求項７】
実装基板のＣＡＤ情報である基板ＣＡＤ情報と実装検査装置から出力される実装基板エラー情報とにより実装基板の不良部位を解析することを支援する実装基板不良解析支援方法において、
基板ＣＡＤ情報をディスプレイ上に表示する基板ＣＡＤ情報表示工程と、
実装不良の発生しやすい条件である不良発生条件を発生しやすい順に優先順位をつけて管理する実装不良発生条件管理工程と、
実装基板エラー情報を入力するエラー情報管理工程と、
不良部位候補を基板ＣＡＤ情報表示部に強調表示する際の優先順位に関して条件設定を行う条件設定工程と、
実装基板エラー情報に対応する実装基板の不良部位候補を基板ＣＡＤ情報表示部に強調表示する基板ＣＡＤ情報表示制御工程とからなり、
実装不良発生条件管理工程において管理される不良発生条件の優先順位に従い、実装基板の不良部位候補を基板ＣＡＤ情報表示部に強調表示することを特徴とする実装基板不良解析支援方法。
【発明の詳細な説明】
【０００１】
【発明の属する技術分野】
本発明は、実装基板のＣＡＤ情報である基板ＣＡＤ情報と実装検査装置から出力される実装基板エラー情報とにより実装基板の不良部位を解析することを支援する実装基板不良解析支援装置に関するものである。
【０００２】
【従来の技術】
実装基板の不良解析方法としては、図７に示す方法が知られている。すなわち、図７に示す従来方法においては、実装検査装置が出力するエラー情報に記載される部品番号および同電位ネット名を元に、担当者が基板図面を目視で参照しながら、不良部位を探索していた。
【０００３】
一方、不良部位の探索を自動化する従来技術として、画像認識技術を適用した実装基板検査結果出力方法が知られている（例えば、特許文献１参照）。この方法においては、被検査実装基板上に実装される各部品の被実装基板上における位置とその部品の形状とが２次元平面上に視覚的に判別できるグラフィックイメージに関するデータをメモリに記憶させるとともに、被検査実装基板の検査結果をやはりメモリに記憶させて、このメモリが記憶しているグラフィックイメージに関するデータと検査結果とから、実装不良として判定された部品がグラフィックイメージのどの部品であるのかを視覚的に識別できるようイメージ出力することで、検査、修理の担当者に部品識別番号と、当該部品実装位置とを関連付けて記憶させることなく、不良部品の位置を担当者に知らせるようにしている。
【０００４】
【特許文献１】
特許第２０１７９７０号（第２頁４段７行目〜第１１頁２２段３０行目）
【０００５】
【発明が解決しようとする課題】
図７に示した従来技術においては、以下に示すような技術的課題がある。
【０００６】
第１に、近年の高密度基板においては、紙の基板図面上で部品番号や同電位ネット名を探すのは困難な作業である。特に多層の実装基板の場合、紙の基板図面を用いて層をまたがるネットを追跡することは非常に困難である。
【０００７】
第２に、基板検査装置が複数のネットがショートしているエラーを発見しても、そのネット同士がどの位置でショートしているかまではわからない。その場合、それぞれのネットを実基板上で追いかけながらショートしている個所を探す必要がある。
【０００８】
また、上記の画像認識技術を適用した実装基板検査結果出力方法においても、上記の２つの課題に対応できていない。
【０００９】
本発明は、多層の実装基板におけるエラーや複数のネットのショートに起因するエラーが発生した場合に、部品番号および同電位ネット名の探索を迅速に行うことが可能な実装基板不良解析支援装置を提供することを目的とする。
【００１０】
【課題を解決するための手段】
上記の課題を解決するものとして、本発明の実装基板不良解析支援装置は、実装基板のＣＡＤ情報である基板ＣＡＤ情報と実装検査装置から出力される実装基板エラー情報とにより実装基板の不良部位の解析を支援する実装基板不良解析支援装置において、基板ＣＡＤ情報および実装基板エラー情報に対応する実装基板の不良部位をディスプレイ上に表示する基板ＣＡＤ情報表示部と、実装不良の発生しやすい条件である不良発生条件を発生しやすい順に優先順位をつけて管理する実装不良発生条件管理部と、実装基板エラー情報を入力するエラー情報管理部と、実装基板エラー情報に対応する実装基板の不良部位候補を基板ＣＡＤ情報表示部に強調表示する基板ＣＡＤ情報表示制御部とを備え、実装不良発生条件管理部において管理される不良発生条件の優先順位に従い、実装基板の不良部位候補を基板ＣＡＤ情報表示部に強調表示するようにしたものである。
【００１１】
この本発明によれば、多層の実装基板におけるエラーや複数のネットのショートに起因するエラーが発生した場合に、部品番号および同電位ネット名の探索を迅速に行うことが可能な実装基板不良解析支援装置が得られる。
【００１２】
【発明の実施の形態】
本発明の請求項１に記載の発明は、実装基板のＣＡＤ情報である基板ＣＡＤ情報と実装検査装置から出力される実装基板エラー情報とにより実装基板の不良部位の解析を支援する実装基板不良解析支援装置において、基板ＣＡＤ情報および実装基板エラー情報に対応する実装基板の不良部位をディスプレイ上に表示する基板ＣＡＤ情報表示部と、実装不良の発生しやすい条件である不良発生条件を発生しやすい順に優先順位をつけて管理する実装不良発生条件管理部と、実装基板エラー情報を入力するエラー情報管理部と、実装基板エラー情報に対応する実装基板の不良部位候補を基板ＣＡＤ情報表示部に強調表示する基板ＣＡＤ情報表示制御部とを備え、実装不良発生条件管理部において管理される不良発生条件の優先順位に従い、実装基板の不良部位候補を基板ＣＡＤ情報表示部に強調表示することを特徴としたもので、予め設定された実装不良の発生しやすい条件を元に基板ＣＡＤ情報と実装基板エラー情報との連携がなされ、実装基板の不良解析を迅速に行うことが可能となる作用を有する。
【００１３】
さらに、本発明の請求項２に記載の発明は、基板ＣＡＤ情報表示部に強調表示された不良部位候補に不良が発見された場合に、この不良部位候補の強調表示に関する優先順位が繰り上がるように入れ替えを行い、入れ替えられた優先順位を実装不良発生条件管理部に登録する表示優先順位学習部を備えることを特徴としたもので、予め設定された実装不良の発生しやすい条件を元に基板ＣＡＤ情報と実装基板エラー情報との連携がなされ、実装不良の発見を迅速に行うことが可能となり、さらには、発生頻度の高い実装不良の発見を迅速に行うことが可能となる作用を有する。
【００１４】
さらに、本発明の請求項３に記載の発明は、実装設計段階で実行される実装設計ルールチェックの結果を入力する実装設計ルールチェック結果入力部を備え、実装設計ルールチェックにおいて不良部位あるいは不良に近い状態にあると判断された実装基板上の部位を、基板ＣＡＤ情報表示部に不良部位候補として優先して強調表示することを特徴としたもので、予め用意された実装設計チェックルール結果を元に基板ＣＡＤ情報と実装基板エラー情報との連携がなされ、実装不良の特定を効率的に行うことが可能となる作用を有する。
【００１５】
さらに、本発明の請求項４に記載の発明は、基板ＣＡＤ情報表示部に優先して強調された不良部位候補に不良が発見された場合に、実装設計ルールチェックにおけるルールに反映される不良発生情報を出力する不良発生情報出力部を備えることを特徴としたもので、実装設計チェックルールによるチェックの精度を向上することが可能となる作用を有する。
【００１６】
さらに、本発明の請求項５に記載の発明は、実装基板を観察する顕微鏡と、実装基板を搭載するＸＹテーブルと、基板ＣＡＤ情報表示部のディスプレイ上に表示された実装基板上の部位と連動してＸＹテーブルが駆動するようにしたＸＹテーブル駆動制御部とを備えることを特徴としたもので、実装基板不良解析作業の効率的を図ることが可能となる作用を有する。
【００１７】
さらに、本発明の請求項６に記載の発明は、実装基板のＣＡＤ情報である基板ＣＡＤ情報と実装検査装置から出力される実装基板エラー情報とにより実装基板の不良部位を解析することを支援する実装基板不良解析支援装置において、基板ＣＡＤ情報に含まれる配置属性情報、配線属性情報、部品属性情報、および、レイヤ属性情報と実装基板エラー情報に対応する実装基板の不良部位とをディスプレイ上に表示する基板ＣＡＤ情報表示部と、実装不良の発生しやすい条件である不良発生条件を発生しやすい順に優先順位をつけて管理する実装不良発生条件管理部と、実装基板エラー情報を入力するエラー情報管理部と、実装基板エラー情報に対応する実装基板の不良部位候補を基板ＣＡＤ情報に含まれる配置属性情報、配線属性情報、部品属性情報、および、レイヤ属性情報に基づき基板ＣＡＤ情報表示部に強調表示する基板ＣＡＤ情報表示制御部とを備え、実装不良発生条件管理部において管理される不良発生条件の優先順位に従い、実装基板の不良部位候補を基板ＣＡＤ情報表示部に強調表示することを特徴としたもので、予め設定された実装不良の発生しやすい条件を元に基板ＣＡＤ情報と実装基板エラー情報との連携がなされ、実装基板の不良解析を迅速に行うことが可能となる作用を有する。
【００１８】
さらに、本発明の請求項７に記載の発明は、実装基板のＣＡＤ情報である基板ＣＡＤ情報と実装検査装置から出力される実装基板エラー情報とにより実装基板の不良部位を解析することを支援する実装基板不良解析支援方法において、基板ＣＡＤ情報をディスプレイ上に表示する基板ＣＡＤ情報表示工程と、実装不良の発生しやすい条件である不良発生条件を発生しやすい順に優先順位をつけて管理する実装不良発生条件管理工程と、実装基板エラー情報を入力するエラー情報管理工程と、不良部位候補を基板ＣＡＤ情報表示部に強調表示する際の優先順位に関して条件設定を行う条件設定工程と、実装基板エラー情報に対応する実装基板の不良部位候補を基板ＣＡＤ情報表示部に強調表示する基板ＣＡＤ情報表示制御工程とからなり、実装不良発生条件管理工程において管理される不良発生条件の優先順位に従い、実装基板の不良部位候補を基板ＣＡＤ情報表示部に強調表示することを特徴としたもので、予め設定された実装不良の発生しやすい条件を元に基板ＣＡＤ情報と実装基板エラー情報との連携がなされ、実装基板の不良解析を迅速に行うことが可能となる作用を有する。
【００１９】
【実施の形態】
本発明の実装基板不良解析支援装置は、図１に示すとおり、実装基板のＣＡＤ情報である基板ＣＡＤ情報と実装検査装置から出力される実装基板エラー情報とにより実装基板の不良部位を解析することを支援する実装基板不良解析支援装置である。本発明の実装基板不良解析支援装置は、基板ＣＡＤ情報および実装基板エラー情報に対応する実装基板の不良部位をディスプレイ上に表示する基板ＣＡＤ情報表示部と、実装不良の発生しやすい条件である不良発生条件を発生しやすい順に優先順位をつけて管理する実装不良発生条件管理部と、実装基板エラー情報を入力するエラー情報管理部と、実装基板エラー情報に対応する実装基板の不良部位候補を基板ＣＡＤ情報表示部に強調表示する基板ＣＡＤ情報表示制御部とから構成される。基板ＣＡＤ情報表示部には、実装不良発生条件管理部において管理される不良発生条件の優先順位に従い、実装基板の不良部位候補が強調表示される。
【００２０】
上記のように構成することにより、予め設定された実装不良の発生しやすい条件を元に基板ＣＡＤ情報と実装基板エラー情報との連携がなされ、実装基板の不良解析を迅速に行うことが可能となる。
【００２１】
予め設定される実装不良を発生しやすい条件としては、例えば、以下のような条件が挙げられる。
１）同一部品上の隣り合うピンに、２つのネットが接続されている箇所
２）異なる部品であるが非常に近い位置で２つのネットが接続されている箇所
３）２つのネットが近い位置に存在する箇所
４）新しい実装工法を採用している部品に接続されている箇所（例えば、部分ディップなど）
５）不良発生実績が多い箇所（例えば、ピッチ間隔の狭い部品など）
本発明の実装基板不良解析支援装置においては、図２に示すような手順に従い実装基板の不良解析が行われる。
【００２２】
まず、基板ＣＡＤ情報の入力がなされ、次に、実装基板エラー情報の入力がなされ、次に、実装不良発生条件の入力がなされ、次に、不良部位候補（実装不良発生候補）の位置の表示がなされ、実装不良が発生したことの確認がなされる。実装不良が発見された場合には、同種のエラー情報について次の実装不良の検索を行うか否かの選択がなされる。同種のエラー情報について次の実装不良の検索を行わない場合には、次のエラー情報の読み込みを行うか否かの選択がなされ、読み込みが行われない場合には、実装不良の解析が終了する。次のエラー情報の読み込みを行う場合には、実装基板エラー情報の入力が再び行われる。次の実装不良の検索を行う場合、および、実装不良が発見されない場合には、実装不良発生条件の入力が再び行われる。
【００２３】
また、本発明の実装基板不良解析支援装置においては、図３に示すように、上記の構成に加えて、基板ＣＡＤ情報表示部に強調表示された不良部位候補に不良が発見された場合に、この不良部位候補の強調表示に関する優先順位が繰り上がるように入れ替えを行い、入れ替えられた優先順位を実装不良発生条件管理部に登録する表示優先順位学習部を備えてもよい。このような構成を有することで、予め設定された実装不良の発生しやすい条件を元に基板ＣＡＤ情報と実装基板エラー情報との連携がなされ、実装不良の発見を迅速に行うことが可能となり、さらには、発生頻度の高い実装不良の発見を迅速に行うことが可能となる。
【００２４】
また、図４に示すように、図１に示した構成に加えて、実装設計段階で実行される実装設計ルールチェックの結果を入力する実装設計ルールチェック結果入力部を備え、実装設計ルールチェックにおいて不良部位あるいは不良に近い状態にあると判断された実装基板上の部位を、基板ＣＡＤ情報表示部に不良部位候補として優先して強調表示するようにしてもよい。このようにした場合には、基板ＣＡＤ情報表示部に優先して強調された不良部位候補に不良が発見された場合に、実装設計ルールチェックにおけるルールに反映される不良発生情報を出力する不良発生情報出力部を備えることが好ましい。このような構成を有することで、予め用意された実装設計チェックルール結果を元に基板ＣＡＤ情報と実装基板エラー情報との連携がなされ、実装不良の特定を効率的に行うことが可能となる。
【００２５】
また、本発明の実装基板不良解析支援装置においては、図５に示すように、上記の構成に加えて、実装基板を観察する顕微鏡と、実装基板を搭載するＸＹテーブルと、基板ＣＡＤ情報表示部のディスプレイ上に表示された実装基板上の部位と連動してＸＹテーブルが駆動するようにしたＸＹテーブル駆動制御部とを備えるようにしてもよい。このような構成を有することで、実装基板不良解析作業の効率的を図ることが可能となる。
【００２６】
さらに、本発明の実装基板不良解析支援装置は、図６に示すように、実装基板のＣＡＤ情報である基板ＣＡＤ情報と実装検査装置から出力される実装基板エラー情報とにより実装基板の不良部位を解析することを支援する実装基板不良解析支援装置において、基板ＣＡＤ情報に含まれる配置属性情報、配線属性情報、部品属性情報、および、レイヤ属性情報と実装基板エラー情報に対応する実装基板の不良部位とをディスプレイ上に表示する基板ＣＡＤ情報表示部と、実装不良の発生しやすい条件である不良発生条件を発生しやすい順に優先順位をつけて管理する実装不良発生条件管理部と、実装基板エラー情報を入力するエラー情報管理部と、実装基板エラー情報に対応する実装基板の不良部位候補を基板ＣＡＤ情報に含まれる配置属性情報、配線属性情報、部品属性情報、および、レイヤ属性情報に基づき基板ＣＡＤ情報表示部に強調表示する基板ＣＡＤ情報表示制御部とから構成されることが好ましい。このとき、基板ＣＡＤ情報表示部には、実装不良発生条件管理部において管理される不良発生条件の優先順位に従い、実装基板の不良部位候補が強調表示される。
【００２７】
上記のように構成することにより、予め設定された実装不良の発生しやすい条件を元に基板ＣＡＤ情報と実装基板エラー情報との連携がなされ、実装基板の不良解析を迅速に行うことが可能となる。
【００２８】
そして、本発明の実装基板不良解析支援方法は、実装基板のＣＡＤ情報である基板ＣＡＤ情報と実装検査装置から出力される実装基板エラー情報とにより実装基板の不良部位を解析することを支援するものであり、実装基板のＣＡＤ情報である基板ＣＡＤ情報と実装検査装置から出力される実装基板エラー情報とにより実装基板の不良部位を解析することを支援する実装基板不良解析支援方法において、基板ＣＡＤ情報をディスプレイ上に表示する基板ＣＡＤ情報表示工程と、実装不良の発生しやすい条件である不良発生条件を発生しやすい順に優先順位をつけて管理する実装不良発生条件管理工程と、実装基板エラー情報を入力するエラー情報管理工程と、不良部位候補を基板ＣＡＤ情報表示部に強調表示する際の優先順位に関して条件設定を行う条件設定工程と、実装基板エラー情報に対応する実装基板の不良部位候補を基板ＣＡＤ情報表示部に強調表示する基板ＣＡＤ情報表示制御工程とからなる。基板ＣＡＤ情報表示工程においては、実装不良発生条件管理工程において管理される不良発生条件の優先順位に従い、実装基板の不良部位候補が強調表示される。
【００２９】
本発明の実装基板不良解析支援方法により、予め設定された実装不良の発生しやすい条件を元に基板ＣＡＤ情報と実装基板エラー情報との連携がなされ、実装基板の不良解析を迅速に行うことが可能となる。
【００３０】
【実施例】
実施例１
本発明の実装基板不良解析支援装置を用いたバウンダリスキャン検査装置のエラー情報に基づく実装不良部位の特定について、以下に説明する。
【００３１】
近年、高密度実装基板においては、ＢＧＡ、ＣＳＰが多用されるようになった。ＢＧＡ、ＣＳＰの場合、チップ部品の下でハンダ接続されるため目視検査によっては実装不良が発見できない。そのため、バウンダリスキャン検査に対応したＬＳＩが使用されるケースが増加している。バウンダリスキャン検査においては、エラー情報として部品番号および同電位ネット名が出力され、ショートあるいはオープンなどの状態がわかるようになっている。
【００３２】
複数のネットがショートしている場合、それぞれの同電位ネット名及び経由している部品名が表示されるが、基板上のどの位置でショートしているかはわからない。多層基板においては、ネットが層をまたいで接続されていることも少なくないため、その追跡を目視で行うことは非常に困難な作業となる。
本発明の実装基板不良解析支援装置においては、実装不良の発生する可能性の高い条件を優先順位として設定する。例えば、（１）同一部品上の隣り合うピンにそれぞれのネットが接続されている部位、（２）異なる部品であるが非常に近い位置でそれぞれのネットが接続されている部位、（３）それぞれのネット同士が近い位置に存在する部位、（４）新しい実装工法を採用している部品に接続されている部位（部分ディップなど）、（５）不良発生実績が多い個所（ピッチ間隔の狭い部品など）などである。
実施例２
本発明の実装基板不良解析支援装置における実装設計ルールチェックとの連携について、以下に説明する。
【００３３】
実装設計段階で設計ルールに基づいた自動チェックが行われるが、その結果ＯＫではあるが、クリティカルであった個所は、実装不良を発生する可能性が高い。本発明の実装基板不良解析支援装置においては、設計ルールチェック結果を上記に設定しておくことにより、不良個所を迅速に特定することができる。
また、設計ルールチェックではＯＫであったのに不良が発生している場合には、ルールチェックの条件が甘い可能性があることから、本発明の実装基板不良解析支援装置においては、不良発生情報をフィードバックすることによりチェックルールの精度を向上することが可能である。
実施例３
本発明の実装基板不良解析支援装置における顕微鏡検査装置との連携について、以下に説明する。
【００３４】
本発明の実装基板不良解析支援装置においては、ディスプレイ上でフォーカスされている位置と顕微鏡付きＸＹテーブルを連動させることにより、実装不良の発生している可能性の高い位置を自動的に顕微鏡で表示させることができ、実装不良個所の特定を迅速に行うことができる。
【００３５】
【発明の効果】
以上詳しく説明したとおり、本発明によれば、多層の実装基板におけるエラーや複数のネットのショートに起因するエラーが発生した場合に、部品番号および同電位ネット名の探索を迅速に行うことが可能な実装基板不良解析支援装置が提供される。
【００３６】
すなわち、本発明の実装基板不良解析支援装置により、基板ＣＡＤ情報と実装基板エラー情報とを連携することにより探索された実装基板の不良部位候補を強調表示することで不良部位の特定を容易に実行することが可能となり、更には、予め設定された実装不良の発生しやすい条件および実装設計チェックルール結果を連携して用いることで、効率的な不良部位の特定が可能となる。
【図面の簡単な説明】
【図１】本発明の実装基板不良解析支援装置の構成について示した概要図である。
【図２】本発明の実装基板不良解析支援装置における処理の手順について示した概要図である。
【図３】本発明の実装基板不良解析支援装置の構成について示した概要図である。
【図４】本発明の実装基板不良解析支援装置の構成について示した概要図である。
【図５】本発明の実装基板不良解析支援装置の構成について示した概要図である。
【図６】本発明の実装基板不良解析支援装置の構成について示した概要図である。
【図７】従来の実装基板不良解析方法の手順について示した概要図である。
【図１】
2004192272.tif 000003
【図２】
2004192272.tif 000004
【図３】
2004192272.tif 000005
【図４】
2004192272.tif 000006
【図５】
2004192272.tif 000007
【図６】
2004192272.tif 000008
【図７】
2004192272.tif 000009